(57)【要約】【課題】基地局から不特定多数の端末に対して同一データの送信を行うマルチキャストおよびブロードキャスト通信において、基地局から前記端末に対してスケジューリング情報を送信する際の処理負担を軽減する。【解決手段】提供するサービス毎の周期制御情報を基地局から端末に対して事前に報知するとともに、基地局からは前記周期制御情報に基づいてサービス毎にスケジューリングしたデータを周期的に送信し、端末では前記周期制御情報を受信することにより認識した周期情報に基づいて自局宛のサービスが提供されている時間区間でのみマルチキャストおよびブロードキャストデータを受信する構成とする。【選択図】図１
2006121396.tif 000002
【特許請求の範囲】
【請求項１】
基地局から不特定多数の端末に対してマルチキャストおよびブロードキャストデータの送信を行う送信装置において、基地局から提供するサービス毎の周期制御情報を前記端末に対して事前に報知するとともに、前記周期制御情報に基づいてサービス毎にスケジューリングしたデータを周期的に送信することを特徴とする送信装置。
【請求項２】
前記周期制御情報は、提供するサービス毎に必要とされる伝送レートに基づいてそれぞれ算出した送信周期情報であることを特徴とする請求項１に記載の送信装置。
【請求項３】
請求項１または請求項２に記載の送信装置から送信される周期制御情報を受信することにより、認識した周期情報に基づいて自局宛のサービスが提供されている時間区間でのみマルチキャストおよびブロードキャストデータを受信する受信装置。
【請求項４】
前記周期制御情報の受信により、周期情報が認識できたかどうかを基地局に対して通知することを特徴とする請求項３に記載の受信装置
【請求項５】
請求項１または請求項２に記載の送信装置と、請求項３または請求項４に記載の受信装置とから構成された通信システム。
【発明の詳細な説明】
【技術分野】
【０００１】
本発明は、不特定多数の端末に送信されるマルチキャストおよびブロードキャストデータのような１対多数の通信に関する送受信装置に関するものである。
【背景技術】
【０００２】
従来、不特定多数の端末に送信されるマルチキャストおよびブロードキャストデータを送受信する方法には、基地局側において例えば６４０ｍｓといった特定の周期でスケジューリング情報を送信して、前記特定の周期内で送信される各サービス、すなわちマルチキャストおよびブロードキャストデータの開始フレーム番号や連続送信区間といった送信タイミングを、端末が認識することによりデータを送受信する方法が知られている（例えば非特許文献１参照）。
【非特許文献１】３ＧＰＰ  ＴＳＧ  ＲＡＮ２  ＭＢＭＳ  ａｄｈｏｃ  Ｒ２−０４０７５６  ［Ｂｕｄａｐｅｓｔ、Ｈｕｎｇａｒｙ、２０−２２  Ａｐｒｉｌ  ２００４］、Ａｇｅｎｄａ  Ｉｔｅｍ：  ４．１、Ｓｏｕｒｃｅ：  Ｓａｍｓｕｎｇ、Ｔｉｔｌｅ：  ＭＢＭＳ：Ｒｅｑｕｉｒｅｍｅｎｔｓ  ｆｏｒ  ｔｈｅ  Ｓｃｈｅｄｕｌｉｎｇ  ｍｅｓｓａｇｅ
【発明の開示】
【発明が解決しようとする課題】
【０００３】
しかしながら、従来のようなマルチキャストおよびブロードキャストデータ送受信装置では、基地局においてスケジューリング情報を送信する毎に、各サービスに対する送信タイミングのスケジューリング制御が必要になるため、処理負荷が大きくなってしまう。また端末では自局宛サービスのスケジューリング情報を特定の周期に従って定期的に受信しなければならないため、伝搬環境が悪化した場合にはスケジューリング情報を受信できなくなり、そのスケジューリング情報が示している特定の区間ではデータが受信できなくなってしまう。さらに、端末では自局宛のサービスがスケジューリングされていない場合でもスケジューリング情報を定期的に受信する必要があるため、消費電力が浪費されるといった課題を有していた。
【０００４】
本発明はこのような問題を解決するためのマルチキャストおよびブロードキャストチャネル送受信装置を提供するものである。
【課題を解決するための手段】
【０００５】
前記従来の課題を解決するために、本発明のマルチキャストおよびブロードキャストチャネル送信装置は、基地局から不特定多数の端末に対して同一データの送信を行うマルチキャストおよびブロードキャスト通信において、基地局から提供するサービス毎のスケジューリング情報である周期制御情報を端末に対して事前に報知するとともに、周期制御情報に基づいてサービス毎にスケジューリングしたデータを周期的に送信する構成を有している。
【０００６】
また、本発明のマルチキャストおよびブロードキャストチャネル受信装置は、基地局から送信される周期制御情報を受信することにより認識した周期情報に基づいて、自局宛のサービスが提供されている時間区間でのみデータを受信する構成を有しており、端末においてスケジューリング情報を一度受信すると、以降は認識した周期でのデータ受信が可能になる。本構成により、提供する各サービスについて実施するスケジューリング制御は一度だけでよくなる。さらに、本発明のマルチキャストおよびブロードキャストチャネル受信装置は、周期制御情報の受信により周期情報が認識できたことを基地局に対して通知す
る構成を有している。
【発明の効果】
【０００７】
本発明のマルチキャストおよびブロードキャストチャネル送受信装置によれば、基地局から提供するサービス毎の周期制御情報を端末に対して事前に報知し、周期制御情報に基づいてスケジューリングしたデータを周期的に送信する構成を有し、また端末においては、受信した周期制御情報により認識した周期情報に基づいて、自局宛のサービスが提供されている時間区間でのみデータを受信する構成を有しているため、提供する各サービスについて実施するスケジューリング制御は一度だけでよくなり、基地局の処理負荷が軽減されるとともに、端末ではスケジューリング情報を一度受信すると、以降は認識した周期でのデータ受信が可能になる。また、周期情報が認識できたことを端末から基地局に対して通知する構成としているため、確実に周期情報を認識できる効果を有する。そして、消費電力を浪費しなくて済むという効果がある。
【発明を実施するための最良の形態】
【０００８】
以下、本発明を実施するための最良の形態について、図面を参照しながら説明する。
【０００９】
（実施の形態１）
図１は、本発明の第一の実施の形態における送受信装置のブロック図である。図１（ａ）は基地局すなわち送信装置のブロック図であり、図１（ｂ）は端末すなわち受信装置のブロック図である。図１（ａ）の送信装置１０５は、提供する各サービスの所要伝送レート情報をもとに各サービスのデータの多重化をスケジューリングする制御データ管理部１０１と、制御データ管理部でスケジューリングした各サービスのタイミング情報から周期制御情報を生成する制御情報生成部１０２と、制御データ管理部１０１でスケジューリングした各サービスのタイミング情報をもとに送信するデータを多重化するデータ多重化制御部１０３と、周期制御情報または多重化データ（マルチキャストおよびブロードキャストデータ）を選択し送信を行う送受信部１０４とから構成される。
【００１０】
また図１（ｂ）の受信装置１１０は、図１（ａ）で説明した送信装置１０５から送信される周期制御情報または多重化データを受信し周期制御情報と多重化データを選択する送受信部１０６と、選択された周期制御情報から自局宛サービス、すなわちマルチキャストおよびブロードキャストデータの周期情報を認識する周期情報認識部１０７と、認識した周期情報をもとに自局宛サービスの受信タイミングを生成するタイミング制御部１０８と、受信タイミングをもとに多重化データから自局宛サービスのデータのみを取り込むデータ分割制御部１０９とから構成される。
【００１１】
以下、図２および図３のフローチャートを用いて送受信動作を説明する。図２に送信装置１０５の動作を示す。マルチキャストおよびブロードキャスト通信が始まると（ステップＳ２０１）、まず制御データ管理部１０１に所要伝送レート情報が入力され（ステップＳ２０２）、それをもとに制御データ管理部１０１では、各サービスをどのフレームから開始するかを示す開始フレーム番号、どういう周期で送信するかを示す送信周期、１送信あたり何フレーム連続して送信するかを示す連続送信区間、サービス終了時刻等を決定するスケジューリングを実施する（ステップＳ２０３）。ここでスケジューリングされた制御情報は、制御情報生成部１０２で周期制御情報としてチャネルにまとめられ送信される（ステップＳ２０４）。その後、データ多重化制御部１０３では、制御データ管理部１０１でスケジューリングされた制御情報に従い、入力される各サービスのデータを多重化し周期的に送信する（ステップＳ２０５）。そして、各サービスの提供がすべて完了した時点で通信を終了する（ステップＳ２０６）。なお、各サービスのデータをスケジューリングする際、提供するサービスが多数ある場合には、コード多重をすることによりサービスの収容数を増大させることも可能である。
【００１２】
図３に受信装置１１０の動作を示す。マルチキャストおよびブロードキャスト通信が開始されると（ステップＳ３０１）、まず送信装置１０５から送信されてきた周期制御情報の受信を行う（ステップＳ３０２）。そして、受信した周期制御情報から自局宛のサービスに関連する制御情報、すなわち開始フレーム番号、送信周期、連続送信区間、サービス終了時刻等を認識する（ステップＳ３０３）。認識した制御情報をもとにタイミング制御部１０８において自局宛のサービスデータのみを受信できるようなタイミングを生成し（ステップＳ３０４）、そこで生成されたタイミング信号をもとに多重化された受信データから必要とするサービスのデータのみを受信し（ステップＳ３０５）、上位レイヤへ転送する。受信しているサービスのデータをすべて受信し終えた時点で通信を終了する（ステップＳ３０６）。以上のような動作フローにより送受信動作を実現する。
【００１３】
図４にデータの送信タイミングおよび受信タイミングの一例を示す。図４はそれぞれ基地局の送信フレームおよび各端末の受信フレームを表している。すなわち、４１０は基地局から送信する送信フレーム、４１１はフレーム番号、４１２は端末で受信する受信フレームを示している。図４では基地局から提供するサービスは３つであるとして説明する。サービス１はサービス開始フレーム番号をフレーム番号１５、送信周期を８フレーム、連続送信区間を２フレームとして送信されている。すなわちサービス１のデータは、フレーム番号１５と１６、２３と２４、３１と３２で送信される。また同様に、サービス２はサービス開始フレーム番号をフレーム番号１８、送信周期を１６フレーム、連続送信区間を４フレームとして送信され、サービス３はサービス開始フレーム番号をフレーム番号２２、送信周期を８フレーム、連続送信区間を１フレームとして送信されている。端末側は事前にそれらサービスの制御情報、つまり開始フレーム番号、送信周期フレーム数、連続送信区間フレーム数を受信する。図４の例では、端末４０１においてサービス１とサービス２を受信し、端末４０２においてはサービス２のみを受信し、端末４０３および端末４０４から端末ｎにおいてはサービス１とサービス３を受信している。なお、この例ではコード多重はされていないが、サービス数が増えた場合にはコード多重することでサービス収容数を増やすことができる。
【００１４】
以上のような構成により、提供する各サービスについてのスケジューリング制御は事前に一度だけ行えばよいため、基地局の処理負荷が軽減されるとともに、端末では周期制御情報を一度受信すれば、以降は認識した周期でのデータ受信を可能にする効果が得られる。そして、消費電力を浪費しなくて済む効果が得られる。
【００１５】
（実施の形態２）
次に本発明の第二の実施の形態について説明する。図５は、本発明の第二の実施の形態における送受信装置のブロック図である。第二の実施の形態では、図１に示した本発明の第一の実施の形態に対して、受信装置５１０には、周期制御情報の誤り検出結果をもとにした受信可否情報（受信ＯＫ／ＮＧ情報）を基地局に対して送信する周期制御情報受信判定部５１１を付加し、また送信装置５０５には、各端末から送られてくる受信可否情報をもとに周期制御情報の再送要求信号を生成する周期制御情報再送信制御部５１２を付加している。図５において図１と同一番号を付したものは同じブロックであることを示す。周期制御情報受信判定部５１１と周期制御情報再送信制御部５１２を設けたことにより、周期制御情報の再送信の判定を実現している。
【００１６】
以下、図６および図７のフローチャートを用いて送受信動作を説明する。図６に示した送信装置５０５の動作は、ステップＳ６０１からＳ６０４までは第一の実施の形態のステップＳ２０１からＳ２０４までと同じであるので説明を省略する。第二の実施の形態では、周期制御情報を送信後（ステップＳ６０４）、端末から送られてくる周期制御情報の受信可否情報をもとに周期制御情報の再送信の判定を実施する（ステップＳ６０５）。端末
で周期制御情報を受信できなかったとき（受信ＮＧの場合）には、再度周期制御情報を送信し（ステップＳ６０４）、端末で周期制御情報を受信できたとき（受信ＯＫの場合）には、データ多重化制御部１０３では、制御データ管理部１０１でスケジューリングされた制御情報に従い、入力される各サービスのデータを多重化し周期的に送信する（ステップＳ６０６）。そして、各サービスの提供がすべて完了した時点で通信を終了する（ステップＳ６０７）。なお、第二の実施の形態で周期制御情報を送信する場合には、あらかじめ再送信に要する時間を考慮して各サービスのデータをスケジューリングする。
【００１７】
図７に受信装置５１０の動作を示す。マルチキャストおよびブロードキャスト通信が開始されると（ステップＳ７０１）、まず基地局から送信されている周期制御情報の受信を行う（ステップＳ７０２）。ここで、受信した周期制御情報の誤りを判定し（ステップＳ７０３）、誤りがない場合には基地局に対して受信ＯＫ情報を送信し（ステップＳ７０４）、誤りがある場合には受信ＮＧ情報を送信する（ステップＳ７０５）。受信ＮＧの場合には再度周期制御情報を受信し（ステップＳ７０２）、誤り判定を行う（ステップＳ７０３）。受信ＯＫの場合には、受信した周期制御情報から自局宛のサービスに関連する制御情報、すなわち開始フレーム番号、送信周期、連続送信区間、サービス終了時刻等、を認識する（ステップＳ７０６）。認識した制御情報をもとにタイミング制御部１０８において自局宛のサービスデータのみを受信できるようなタイミングを生成し（ステップＳ７０７）、そこで生成されたタイミング信号をもとに多重化された受信データから必要とするサービスのデータのみを受信し（ステップＳ７０８）、上位レイヤへ転送する。受信しているサービスのデータをすべて受信し終えた時点で通信を終了する（ステップＳ７０９）。なお、周期制御情報の受信が連続して誤りつづけるような場合には、伝搬環境が劣悪であると判断してマルチキャストおよびブロードキャスト通信を実施しないという制御も行うことができる。以上のような動作フローにより送受信動作を実現する。
【００１８】
図８に周期制御情報の送信タイミングおよび受信タイミングの一例を示す。基地局から各端末に対して下りチャネル（ＤＬ）として個別にｎ個の周期制御情報（ｉｎｆｏ）８１０を送信する。端末８０１、端末８０４から端末ｎでは受信結果がＯＫであり制御情報を認識している。そして、上りチャネル（ＵＬ）で受信ＯＫ情報（Ａｃｋ）８１２を送信している。端末８０２および端末８０３では受信結果がＮＧであり、基地局に対し上りチャネル（ＵＬ）で受信ＮＧ信号（Ｎａｃｋ）８１３を送信して周期制御情報の再送を要求する。基地局から再度端末８０２および端末８０３に対してのみ２個の周期制御情報（ｉｎｆｏ）８１１を下りチャネル（ＤＬ）で送信する。その受信結果がＯＫであり制御情報を認識すると、上りチャネル（ＵＬ）で受信ＯＫ情報（Ａｃｋ）８１４を送信する。以降、全端末で認識した周期情報によりマルチキャストおよびブロードキャストデータの受信を実施する。この例で使用するチャネルは個別チャネルとして記載しているが、実際に使用するチャネルは共通チャネルを使用してもよい。
【００１９】
以上のような構成により、第一の実施の形態が有する効果に加えて、周期制御情報を認識できたことを端末から基地局に対して通知することができるため、確実に周期情報を認識できる効果が得られる。
【産業上の利用可能性】
【００２０】
本発明にかかるマルチキャストおよびブロードキャストチャネル送受信装置では、提供する各サービスについて実施するスケジューリング制御が一度だけでよくなり、基地局の処理負荷が軽減されるとともに、端末ではスケジューリング情報を一度受信すると、以降は認識した周期でのデータ受信が可能になるという効果があるため、消費電力を削減できる効果も得られ、マルチキャストおよびブロードキャストデータ通信に関する送受信方法として有用である。
【図面の簡単な説明】
【００２１】
【図１】（ａ）本発明の実施の形態１におけるマルチキャストおよびブロードキャストチャネル送信装置のブロック図（ｂ）本発明の実施の形態１におけるマルチキャストおよびブロードキャスト受信装置のブロック図
【図２】本発明の実施の形態１における送信動作を示すフローチャート
【図３】本発明の実施の形態１における受信動作を示すフローチャート
【図４】本発明の実施の形態１におけるマルチキャストおよびブロードキャストチャネルの送受信タイミングを示す図
【図５】本発明の実施の形態２におけるマルチキャストおよびブロードキャストチャネル送信装置と受信装置のブロック図
【図６】本発明の実施の形態２における送信動作を示すフローチャート
【図７】本発明の実施の形態２における受信動作を示すフローチャート
【図８】本発明の実施の形態２における周期制御情報の送受信タイミングを示す図
【符号の説明】
【００２２】
１０１  制御データ管理部
１０２  制御情報生成部
１０３  データ多重化制御部
１０４、１０６  送受信部
１０７  周期情報認識部
１０８  タイミング制御部
１０９  データ分割制御部
５１１  周期制御情報受信判定部
５１２  周期制御情報再送信制御部
【図１】
2006121396.tif 000003
【図２】
2006121396.tif 000004
【図３】
2006121396.tif 000005
【図４】
2006121396.tif 000006
【図５】
2006121396.tif 000007
【図６】
2006121396.tif 000008
【図７】
2006121396.tif 000009
【図８】
2006121396.tif 000010